(57)【要約】【課題】調整対象装置の画質を、目標装置の画質に近似するように、効率的に調整することができる画質調整装置、画質調整方法及び画質調整プログラムを提供する。【解決手段】ターゲット装置５０は、スケーラ５１、画質調整エンジン５２及びＬＣＤパネル５３を備える。画質調整エンジン５２は、カラーマネジメント調整器５２２、ガンマ調整器５２４及びゲイン・バイアス調整器５２５等から構成されている。画質調整装置１０の制御部１１は、リファレンス装置及びターゲット装置５０の特性データを記憶するデータ記憶部１２を備える。制御部１１は、データ記憶部１２のデータに基づいてガンマ・ホワイトバランス変換データを算出し、ガンマ調整器５２４に保持させる。制御部１１は、データ記憶部１２のデータ及びガンマ・ホワイトバランス変換データを用いてカラーマネジメント設定プロファイルデータを算出し、カラーマネジメント調整器５２２に保持させる。【選択図】図２
2008199118.tif 000002
【特許請求の範囲】
【請求項１】
ビデオ信号変換回路、レベルモニタ、カラーマネジメント調整器、テスト信号発生器、ガンマ調整器、ゲイン・バイアス調整器及び表示パネルを備えたターゲット装置から出力されたデータを記録するターゲットデータ記憶手段と、
第１のテスト信号に基づいて生成されたコンポーネント映像信号をリファレンス装置に入力して出力された三刺激値からなるカラーマネジメント特性と、第２のテスト信号に基づいて生成されたコンポーネント映像信号を入力して出力された三刺激値から算出したガンマ特性及びホワイトバランス特性を記憶したリファレンスデータ記憶手段と、
前記テスト信号発生器及び前記レベルモニタに接続する制御手段とを備えた画質調整装置であって、
前記制御手段が、
パネル特性測定用信号を前記テスト信号発生器に入力して前記ターゲット装置から出力された三刺激値に基づいてパネルカラーマネジメント特性に関するデータを取得して前記ターゲットデータ記憶手段に格納し、
ガンマ特性及びホワイトバランス特性測定用信号を前記テスト信号発生器に入力して前記ターゲット装置から出力された三刺激値に基づいて前記表示パネルのガンマ特性及びホワイトバランス特性に関するデータを算出して前記ターゲットデータ記憶手段に格納し、
ビデオ信号変換回路特性測定用信号を前記ビデオ信号変換回路に入力し、前記ビデオ信号変換回路からの出力を前記レベルモニタを介して供給された信号に基づいてビデオ信号変換回路特性に関するデータを取得して、前記ターゲットデータ記憶手段に格納し、
前記ターゲット装置のガンマ特性及びホワイトバランス特性を、前記リファレンス装置のガンマ特性及びホワイトバランス特性に近似させるためのガンマ・ホワイトバランス設定プロファイルを算出し、
算出した前記ガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出することを特徴とする画質調整装置。
【請求項２】
前記ガンマ特性及びホワイトバランス特性測定用信号の強度変更間隔は、前記パネル特性測定用信号及び前記ビデオ信号変換回路特性測定用信号の強度変更間隔より狭いことを特徴とする請求項１に記載の画質調整装置。
【請求項３】
ビデオ信号変換回路、レベルモニタ、カラーマネジメント調整器、テスト信号発生器、ガンマ調整器、ゲイン・バイアス調整器及び表示パネルを備えたターゲット装置から出力されたデータを記録するターゲットデータ記憶手段と、
第１のテスト信号に基づいて生成されたコンポーネント映像信号をリファレンス装置に入力して出力された三刺激値からなるカラーマネジメント特性と、第２のテスト信号に基づいて生成されたコンポーネント映像信号を入力して出力された三刺激値から算出したガンマ特性及びホワイトバランス特性を記憶したリファレンスデータ記憶手段と、
前記テスト信号発生器及び前記レベルモニタに接続する制御手段とを用いて、画像調整を行なう方法であって、
前記制御手段が、
パネル特性測定用信号を前記テスト信号発生器に入力して前記ターゲット装置から出力された三刺激値に基づいてパネルカラーマネジメント特性に関するデータを取得して前記ターゲットデータ記憶手段に格納し、
ガンマ特性及びホワイトバランス特性測定用信号を前記テスト信号発生器に入力して前記ターゲット装置から出力された三刺激値に基づいて前記表示パネルのガンマ特性及びホワイトバランス特性に関するデータを算出して前記ターゲットデータ記憶手段に格納し、
ビデオ信号変換回路特性測定用信号を前記ビデオ信号変換回路に入力し、前記ビデオ信
号変換回路からの出力を前記レベルモニタを介して供給された信号に基づいてビデオ信号変換回路特性に関するデータを取得して、前記ターゲットデータ記憶手段に格納し、
前記ターゲット装置のガンマ特性及びホワイトバランス特性を、前記リファレンス装置のガンマ特性及びホワイトバランス特性に近似させるためのガンマ・ホワイトバランス設定プロファイルを算出し、
算出した前記ガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出することを特徴とする画質調整方法。
【請求項４】
前記ガンマ特性及びホワイトバランス特性測定用信号の強度変更間隔は、前記パネル特性測定用信号及び前記ビデオ信号変換回路特性測定用信号の強度変更間隔より狭いことを特徴とする請求項３に記載の画質調整方法。
【請求項５】
ビデオ信号変換回路、レベルモニタ、カラーマネジメント調整器、テスト信号発生器、ガンマ調整器、ゲイン・バイアス調整器及び表示パネルを備えたターゲット装置から出力されたデータを記録するターゲットデータ記憶手段と、
第１のテスト信号に基づいて生成されたコンポーネント映像信号をリファレンス装置に入力して出力された三刺激値からなるカラーマネジメント特性と、第２のテスト信号に基づいて生成されたコンポーネント映像信号を入力して出力された三刺激値から算出したガンマ特性及びホワイトバランス特性を記憶したリファレンスデータ記憶手段と、
前記テスト信号発生器及び前記レベルモニタに接続する制御手段とを用いて、画像調整を行なうためのプログラムであって、
前記制御手段を、
パネル特性測定用信号を前記テスト信号発生器に入力して前記ターゲット装置から出力された三刺激値に基づいてパネルカラーマネジメント特性に関するデータを取得して前記ターゲットデータ記憶手段に格納する手段、
ガンマ特性及びホワイトバランス特性測定用信号を前記テスト信号発生器に入力して前記ターゲット装置から出力された三刺激値に基づいて前記表示パネルのガンマ特性及びホワイトバランス特性に関するデータを算出して前記ターゲットデータ記憶手段に格納する手段、
ビデオ信号変換回路特性測定用信号を前記ビデオ信号変換回路に入力し、前記ビデオ信号変換回路からの出力を前記レベルモニタを介して供給された信号に基づいてビデオ信号変換回路特性に関するデータを取得して、前記ターゲットデータ記憶手段に格納する手段、
前記ターゲット装置のガンマ特性及びホワイトバランス特性を、前記リファレンス装置のガンマ特性及びホワイトバランス特性に近似させるためのガンマ・ホワイトバランス設定プロファイルを算出する手段、及び
算出した前記ガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出する手段
として機能させることを特徴とする画質調整プログラム。
【請求項６】
前記ガンマ特性及びホワイトバランス特性測定用信号の強度変更間隔は、前記パネル特性測定用信号及び前記ビデオ信号変換回路特性測定用信号の強度変更間隔より狭いことを特徴とする請求項５に記載の画質調整プログラム。
【発明の詳細な説明】
【技術分野】
【０００１】
本発明は、ディスプレイ等の画像出力装置の画質を、目標とする画像出力装置の画質に近づけるための画質調整装置、画質調整方法及び画質調整プログラムに関する。
【背景技術】
【０００２】
画像データをディスプレイ等の画像出力装置に表示させる場合、ディスプレイの大きさやパネル特性を考慮したデータ変換が行なわれる。具体的には、カラーマネジメントやガンマ値、ホワイトバランスを調整する（例えば、特許文献１参照）。この特許文献１に記載の情報処理装置では、映像処理コントローラの高画質化処理パラメータを表示装置の種別毎に記憶するメモリを備える。そして、表示装置の種別を判別し、この判別結果に応じてメモリから高画質化処理パラメータを読出し、映像信号を高画質化処理するための設定を行なう。
【０００３】
また、画像出力装置には、画質を調整するための画質調整エンジンが設けられているものもある。そして、液晶モジュールを備えたテレビジョン受像機においては、効率よく低廉にホワイトバランスを調整するための技術も検討されている（例えば、特許文献２参照）。この技術では、Ｒ、Ｇ、Ｂの調整係数を入力し、調整係数に基づいてガンマテーブルを書き換える。調整作業者が、液晶モジュール上のパターン映像の色度が目標の色度になったと判断した場合、調整係数を調整確定値として記憶させる。そして、調整確定値をガンマテーブルに反映して調整用ガンマテーブルを作成する。
【特許文献１】特開２００５−３４０９５４号公報（第１頁）
【特許文献２】特開２００６−３２５０１４号公報（第１頁）
【発明の開示】
【発明が解決しようとする課題】
【０００４】
特許文献１に記載されているように、適切な画像を出力させるためには、多くのパラメータを調整する必要がある。しかし、特許文献２に記載されているように、理想的な画質を、パラメータの数値設定だけで実現することは困難である。そこで、目標となるディスプレイに表示された画像の状態を見ながら、調整対象のディスプレイの画質調整エンジンを用いて、画質の調整を行なうことも可能である。しかしながら、調整すべきパラメータは多く、複数のパラメータが相互に関係しているために、画質を調整するためには、熟練者であっても長時間を要していた。
【０００５】
本発明は、上述の問題に鑑みてなされ、調整対象装置（ターゲット装置）の画質を、目標装置（リファレンス装置）の画質に近似するように、効率的に調整することができる画質調整装置、画質調整方法及び画質調整プログラムを提供することにある。
【課題を解決するための手段】
【０００６】
上記問題点を解決するために、請求項１に記載の発明は、ビデオ信号変換回路、レベルモニタ、カラーマネジメント調整器、テスト信号発生器、ガンマ調整器、ゲイン・バイアス調整器及び表示パネルを備えたターゲット装置から出力されたデータを記録するターゲットデータ記憶手段と、第１のテスト信号に基づいて生成されたコンポーネント映像信号をリファレンス装置に入力して出力された三刺激値からなるカラーマネジメント特性と、第２のテスト信号に基づいて生成されたコンポーネント映像信号を入力して出力された三刺激値から算出したガンマ特性及びホワイトバランス特性を記憶したリファレンスデータ記憶手段と、前記テスト信号発生器及び前記レベルモニタに接続する制御手段とを備えた画質調整装置であって、前記制御手段が、パネル特性測定用信号を前記テスト信号発生器
に入力して前記ターゲット装置から出力された三刺激値に基づいてパネルカラーマネジメント特性に関するデータを取得して前記ターゲットデータ記憶手段に格納し、ガンマ特性及びホワイトバランス特性測定用信号を前記テスト信号発生器に入力して前記ターゲット装置から出力された三刺激値に基づいて前記表示パネルのガンマ特性及びホワイトバランス特性に関するデータを算出して前記ターゲットデータ記憶手段に格納し、ビデオ信号変換回路特性測定用信号を前記ビデオ信号変換回路に入力し、前記ビデオ信号変換回路からの出力を前記レベルモニタを介して供給された信号に基づいてビデオ信号変換回路特性に関するデータを取得して、前記ターゲットデータ記憶手段に格納し、前記ターゲット装置のガンマ特性及びホワイトバランス特性を、前記リファレンス装置のガンマ特性及びホワイトバランス特性に近似させるためのガンマ・ホワイトバランス設定プロファイルを算出し、算出した前記ガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出することを要旨とする。
【０００７】
請求項２に記載の発明は、請求項１に記載の画質調整装置において、前記ガンマ特性及びホワイトバランス特性測定用信号の強度変更間隔は、前記パネル特性測定用信号及び前記ビデオ信号変換回路特性測定用信号の強度変更間隔より狭いことを要旨とする。
【０００８】
請求項３に記載の発明は、ビデオ信号変換回路、レベルモニタ、カラーマネジメント調整器、テスト信号発生器、ガンマ調整器、ゲイン・バイアス調整器及び表示パネルを備えたターゲット装置から出力されたデータを記録するターゲットデータ記憶手段と、第１のテスト信号に基づいて生成されたコンポーネント映像信号をリファレンス装置に入力して出力された三刺激値からなるカラーマネジメント特性と、第２のテスト信号に基づいて生成されたコンポーネント映像信号を入力して出力された三刺激値から算出したガンマ特性及びホワイトバランス特性を記憶したリファレンスデータ記憶手段と、前記テスト信号発生器及び前記レベルモニタに接続する制御手段とを用いて、画像調整を行なう方法であって、前記制御手段が、パネル特性測定用信号を前記テスト信号発生器に入力して前記ターゲット装置から出力された三刺激値に基づいてパネルカラーマネジメント特性に関するデータを取得して前記ターゲットデータ記憶手段に格納し、ガンマ特性及びホワイトバランス特性測定用信号を前記テスト信号発生器に入力して前記ターゲット装置から出力された三刺激値に基づいて前記表示パネルのガンマ特性及びホワイトバランス特性に関するデータを算出して前記ターゲットデータ記憶手段に格納し、ビデオ信号変換回路特性測定用信号を前記ビデオ信号変換回路に入力し、前記ビデオ信号変換回路からの出力を前記レベルモニタを介して供給された信号に基づいてビデオ信号変換回路特性に関するデータを取得して、前記ターゲットデータ記憶手段に格納し、前記ターゲット装置のガンマ特性及びホワイトバランス特性を、前記リファレンス装置のガンマ特性及びホワイトバランス特性に近似させるためのガンマ・ホワイトバランス設定プロファイルを算出し、算出した前記ガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出することを要旨とする。
【０００９】
請求項４に記載の発明は、請求項３に記載の画質調整方法において、前記ガンマ特性及びホワイトバランス特性測定用信号の強度変更間隔は、前記パネル特性測定用信号及び前記ビデオ信号変換回路特性測定用信号の強度変更間隔より狭いことを要旨とする。
【００１０】
請求項５に記載の発明は、ビデオ信号変換回路、レベルモニタ、カラーマネジメント調整器、テスト信号発生器、ガンマ調整器、ゲイン・バイアス調整器及び表示パネルを備えたターゲット装置から出力されたデータを記録するターゲットデータ記憶手段と、第１の
テスト信号に基づいて生成されたコンポーネント映像信号をリファレンス装置に入力して出力された三刺激値からなるカラーマネジメント特性と、第２のテスト信号に基づいて生成されたコンポーネント映像信号を入力して出力された三刺激値から算出したガンマ特性及びホワイトバランス特性を記憶したリファレンスデータ記憶手段と、前記テスト信号発生器及び前記レベルモニタに接続する制御手段とを用いて、画像調整を行なうためのプログラムであって、前記制御手段を、パネル特性測定用信号を前記テスト信号発生器に入力して前記ターゲット装置から出力された三刺激値に基づいてパネルカラーマネジメント特性に関するデータを取得して前記ターゲットデータ記憶手段に格納する手段、ガンマ特性及びホワイトバランス特性測定用信号を前記テスト信号発生器に入力して前記ターゲット装置から出力された三刺激値に基づいて前記表示パネルのガンマ特性及びホワイトバランス特性に関するデータを算出して前記ターゲットデータ記憶手段に格納する手段、ビデオ信号変換回路特性測定用信号を前記ビデオ信号変換回路に入力し、前記ビデオ信号変換回路からの出力を前記レベルモニタを介して供給された信号に基づいてビデオ信号変換回路特性に関するデータを取得して、前記ターゲットデータ記憶手段に格納する手段、前記ターゲット装置のガンマ特性及びホワイトバランス特性を、前記リファレンス装置のガンマ特性及びホワイトバランス特性に近似させるためのガンマ・ホワイトバランス設定プロファイルを算出する手段、及び算出した前記ガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出する手段として機能させることを要旨とする。
【００１１】
請求項６に記載の発明は、請求項５に記載の画質調整プログラムにおいて、前記ガンマ特性及びホワイトバランス特性測定用信号の強度変更間隔は、前記パネル特性測定用信号及び前記ビデオ信号変換回路特性測定用信号の強度変更間隔より狭いことを要旨とする。
【００１２】
（作用）
請求項１、３又は５に記載の発明によれば、制御手段は、ターゲットデータ記憶手段に、ターゲット装置のパネルカラーマネジメント特性、ガンマ特性、ホワイトバランス特性及びビデオ信号変換回路特性に関する各データを格納する。更に、制御手段は、前記ターゲット装置のガンマ特性及びホワイトバランス特性を、前記リファレンス装置のガンマ特性及びホワイトバランス特性に近似させるためのガンマ・ホワイトバランス設定プロファイルを算出する。そして、制御手段は、算出したガンマ・ホワイトバランス設定プロファイルと、前記パネルカラーマネジメント特性、前記ビデオ信号変換回路特性及び前記リファレンス装置のカラーマネジメント特性を用いて、前記リファレンス装置のカラーマネジメント特性に近似させるためのカラーマネジメント設定プロファイルを算出する。そして、算出したガンマ・ホワイトバランス設定プロファイル及びカラーマネジメント設定プロファイルを用いてターゲット装置において画質調整を行なわせる。従って、画質調整装置は、ターゲット装置及びリファレンス装置のデータを自動的に取得し、取得したデータに基づいて人手によることなく自動で、ガンマプロファイル、ホワイトバランスプロファイル及びカラーマネジメントプロファイルを算出して設定を行なう。このため、従来に比べて、効率的に、ターゲット装置の画質をリファレンス装置の画質に近似させることができる。
【００１３】
請求項２、４又は６に記載の発明によれば、ガンマ特性及びホワイトバランス特性測定用信号の強度変更間隔は、パネル特性測定用信号及びビデオ信号変換回路特性測定用信号の強度変更間隔より狭い。ガンマ特性及びホワイトバランス特性測定用信号は、光の強さ（輝度）に関するガンマ特性を測定するために用いる信号である。人間の目は、飽和度の高い色や色の相違よりも白の輝度変化や白の色度（色温度）の変化に対して敏感である。本発明では、この視覚的な特徴に着目し、ガンマ特性やホワイトバランス特性を詳細に設
定することにより、人間の目が敏感な白の輝度変化や色度変化特性を細かい間隔で測定調整し詳細に合わせ、比較的鈍感な色の飽和度や色相変化については、輝度に比較して疎となる間隔で測定調整している。
【発明の効果】
【００１４】
本発明によれば、調整対象装置（ターゲット装置）の画質を、目標装置（リファレンス装置）の画質に近似するように効率的に調整することができる。
【発明を実施するための最良の形態】
【００１５】
以下、本発明の画質調整装置について説明する。本実施形態では、ターゲット装置の画質を調整して出荷する場合を想定する。このため、画質調整装置を用いて、ターゲット装置の画質が、高画質のリファレンス装置の画質に近似するように画質調整を行なう。なお、本実施形態では、ターゲット装置及びリファレンス装置として、液晶ディスプレイ（ＬＣＤ）を用いる。
【００１６】
まず、本発明の画質調整装置の動作概念を説明する。ここでは、リファレンス装置全体を、ＲＧＢ信号を入力してＸＹＺ信号を出力する関数（入出力特性）を備えたブラックボックスとして扱う。そして、ターゲット装置内の各処理手段を個々に評価して、カラーマネジメント調整器、ガンマ調整器のプロファイルを調節してリファレンス装置の入出力特性に似せるための設定を算出する。
【００１７】
具体的には、リファレンス装置のガンマ特性及びホワイトバランス特性（リファレンス出力）と、ターゲット装置のガンマ調整器へのテスト信号入力に対するターゲット装置のガンマ特性及びホワイトバランス特性（ターゲット出力）とを取得する。そして、ターゲット装置のガンマ調整器への入力からリファレンス出力を得るための逆関数を算出し、ガンマ調整器における機能を決定する。
【００１８】
次に、リファレンス装置のカラーマネジメント特性（リファレンス出力）と、ターゲット装置のカラーマネジメント調整器への信号入力に対するターゲット装置のカラーマネジメント特性とを取得する。この場合、ターゲット装置のガンマ調整器の機能を考慮して、ターゲット装置においてリファレンス出力を生成するための逆関数を算出する。そして、ターゲット装置のカラーマネジメント調整器への入力からリファレンス出力を得るための逆関数を算出し、カラーマネジメント調整器における機能を決定する。これにより、リファレンス装置とターゲット装置との画像を近似させる。
【００１９】
次に、本発明を具体化した画質調整装置について、図１〜図８を用いて詳述する。
図１及び図２に示すように、画質調整装置１０は、制御手段としての制御部１１及びデータ記憶部１２を備えている。制御部１１は、ＲＧＢ方式の信号を供給して、ディスプレイに画像を出力させる。そして、このテスト信号の供給タイミングに応じて（同期させて）ディスプレイ上の出力画像に関する信号を取得し、データ記憶部１２に記録する。データ記憶部１２は、リファレンスデータ記憶手段及びターゲットデータ記憶手段として機能し、リファレンス装置３０及びターゲット装置５０に関するデータを記録する。
【００２０】
図１は、画質調整装置１０を用いて、リファレンス装置３０の特性を取得する場合の構成を示している。具体的には、画質調整装置１０の制御部１１は、ビデオ信号発生器２０に接続されており、ビデオ信号発生器２０に後述するテスト信号を供給する。
【００２１】
ビデオ信号発生器２０は、リファレンス装置３０に接続されており、このリファレンス装置３０に、画質調整装置１０の制御部１１から供給されたＲＧＢ方式の信号（ＲＧＢ信号）に基づいて生成されたコンポーネント信号を供給する。本実施形態では、このコンポ
ーネント信号として、「ＢＴＡ  Ｓ−１００Ｂ（いわゆるＨＤ−ＳＤＩ）」規格による輝度−色差の信号（ＹＰｂＰｒ信号）を用いる。
【００２２】
リファレンス装置３０は、ビデオ信号発生器２０からのＹＰｂＰｒ信号を受けて画像を表示する。このリファレンス装置３０のＬＣＤパネル面の発色状態は、ディスプレイアナライザ４０を用いて測定する。本実施形態では、ディスプレイアナライザ４０として色彩輝度計を用いて、三刺激値（Ｘ，Ｙ，Ｚ）を測定する。また、本実施形態では、ディスプレイアナライザ４０は、リファレンス装置３０の中心部の所定領域を測定する。このディスプレイアナライザ４０は、測定結果（三刺激値）を画質調整装置１０の制御部１１に供給する。そして、制御部１１は、テスト信号の供給タイミングに応じて、この信号に対応したディスプレイアナライザ４０からの三刺激値測定信号を取得し、テスト信号と三刺激値測定信号とを対応させてリファレンス装置３０に関するデータをデータ記憶部１２に記録する。
【００２３】
一方、図２は、画質調整装置１０を用いて、ターゲット装置５０の特性を取得する場合の構成を示している。この場合には、図１のリファレンス装置３０の代わりに、ターゲット装置５０を画質調整装置１０に接続する。具体的には、画質調整装置１０の制御部１１は、ビデオ信号発生器２０に接続されており、このビデオ信号発生器２０は、ターゲット装置５０に接続されている。そして、ディスプレイアナライザ４０は、ターゲット装置５０のＬＣＤパネル面の発色状態を三刺激値により測定する。この三刺激値は、画質調整装置１０の制御部１１に供給され、制御部１１は、ターゲット装置５０に関するデータを記録する。
【００２４】
次に、ターゲット装置５０の内部構成について説明する。
ターゲット装置５０は、ビデオ信号変換回路としてのスケーラ５１、画質調整エンジン５２及びＬＣＤパネル５３を備える。スケーラ５１は、ビデオ信号発生器２０から供給された信号を、ＬＣＤパネル５３の大きさに応じた画像信号に変換する。更に、このスケーラ５１は、ビデオ信号発生器２０から供給されたＹＰｂＰｒ信号を、ＬＣＤパネル５３で画像を出力するためのＲＧＢ信号に変換する。そして、このスケーラ５１は、変換したＲＧＢ信号を画質調整エンジン５２に供給する。
【００２５】
画質調整エンジン５２は、レベルモニタ５２１、カラーマネジメント調整器５２２、テスト信号発生器５２３、ガンマ調整器５２４及びゲイン・バイアス調整器５２５等から構成されている。画質調整エンジン５２に供給された信号は、レベルモニタ５２１及びカラーマネジメント調整器５２２に供給される。レベルモニタ５２１は、画質調整エンジン５２に供給された信号強度を、画質調整装置１０の制御部１１に出力する。
【００２６】
カラーマネジメント調整器５２２は、設定可能なカラーマネジメントプロファイル（ＣＭプロファイル）データを備えている。このＣＭプロファイルがカラーマネジメント設定プロファイルとして機能する。そして、このＣＭプロファイルデータを用いて、スケーラ５１から供給されるＲＧＢ信号を調整して、カラー調整を行なう。カラーマネジメント調整器５２２は、調整したＲＧＢ信号をガンマ調整器５２４に供給する。なお、本実施形態では、比較的粗いＣＭプロファイルを記憶させておき、カラーマネジメント調整時には、色空間において直線補間を行なう。これにより、カラーマネジメント調整器５２２のメモリ容量を削減して負荷を軽減することができる。
【００２７】
このガンマ調整器５２４には、テスト信号発生器５２３からもＲＧＢ信号が供給される。このテスト信号発生器５２３は、画質調整装置１０の制御部１１に接続されており、この制御部１１からの指示に基づいてＲＧＢ信号を生成し、ガンマ調整器５２４に供給する。
【００２８】
ガンマ調整器５２４は、ガンマ値（画像の明るさの変化に対する電圧換算値の変化の比）の調整を行なう。具体的には、ガンマ調整器５２４は、後述する設定可能なガンマ・ホワイトバランス変換テーブルデータとガンマプロファイルデータとを備えている。ガンマ・ホワイトバランス変換テーブルがガンマ・ホワイトバランス設定プロファイルとして機能する。ガンマ調整器５２４は、これらデータを用いてカラーマネジメント調整器５２２又はテスト信号発生器５２３から供給されるＲＧＢ信号の輝度を調整する。更に、このガンマ調整器５２４は、輝度を調整したＲＧＢ信号をゲイン・バイアス調整器５２５に供給する。
【００２９】
ゲイン・バイアス調整器５２５は、ホワイトバランス調整（３原色の発色状態によって白の色度（色温度）の調整）を行なう。具体的には、ゲイン・バイアス調整器５２５は、ホワイトバランスプロファイルデータを備えている。そして、このプロファイルデータを用いて、ガンマ調整器５２４から供給されるＲＧＢ信号のホワイトバランス調整を行なう。更に、このゲイン・バイアス調整器５２５は、ホワイトバランス調整したＲＧＢ信号をＬＣＤパネル５３に供給する。
【００３０】
ＬＣＤパネル５３は、ゲイン・バイアス調整器５２５から供給されたＲＧＢ信号に基づいて画像を出力する。なお、ＬＣＤパネル５３に表示された画像の発色状態は、ディスプレイアナライザ４０により測定される。
【００３１】
次に、上述した構成により、画質調整装置１０を用いた画質調整処理について、図３〜図８を用いて説明する。ここでは、まず、リファレンス装置３０についてのカラーマネジメント特性の測定処理とガンマ特性及びホワイトバランス特性の測定処理について説明する。そして、ターゲット装置５０についてのパネル特性の測定処理、ガンマ特性及びホワイトバランス特性の測定処理、スケーラ特性（ビデオ信号変換回路特性）の測定処理について説明する。最後に、測定した各特性データを用いたガンマ・ホワイトバランス変換データ及びＣＭプロファイルデータの設定処理について説明する。
【００３２】
（リファレンス装置３０のカラーマネジメント特性の測定処理）
まず、画質調整装置１０を用いてリファレンス装置３０のカラーマネジメント特性の測定処理について、図３に基づいて説明する。
【００３３】
画質調整装置１０は、ビデオ信号発生器２０にテスト信号を供給する（ステップＳ１−１）。具体的には、画質調整装置１０の制御部１１は、ＲＧＢ方式のテスト信号をビデオ信号発生器２０に供給する。ここでは、テスト信号として、レッド（Ｒ）、グリーン（Ｇ）及びブルー（Ｂ）の各色の強度を、それぞれ「０」〜「２５５」の範囲で所定の強度間隔（第１強度間隔）で変更した値を組み合わせて生成した各種パターンを含む信号を用いる。本実施形態では、ＲＧＢの階調変化はそれぞれ１７ステップとする。
【００３４】
ビデオ信号発生器２０は、制御部１１から供給されたテスト信号に応じた出力信号（ＹＰｂＰｒ信号）をリファレンス装置３０に供給する（ステップＳ１−２）。
そして、リファレンス装置３０は、供給されたＹＰｂＰｒ信号に基づいて画像を表示する。
【００３５】
ディスプレイアナライザ４０は、リファレンス装置３０が表示する画像の三刺激値（Ｘ，Ｙ，Ｚ）を測定する（ステップＳ１−３）。このとき、ディスプレイアナライザ４０は、測定データを出力する。画質調整装置１０の制御部１１は、テスト信号の供給タイミングに応じて、ディスプレイアナライザ４０から出力された測定データを取得する。
【００３６】
画質調整装置１０の制御部１１は、リファレンスカラーマネージメント特性データを記録する（ステップＳ１−４）。具体的には、制御部１１は、ビデオ信号発生器２０に供給したテスト信号（Ｒ，Ｇ，Ｂの各値）に対応させて、ディスプレイアナライザ４０から取得した三刺激値（Ｘ，Ｙ，Ｚ）を、データ記憶部１２に記録する。
【００３７】
このように、画質調整装置１０の制御部１１は、順次、組み合わせパターンを変更させたテスト信号に対する三刺激値（Ｘ，Ｙ，Ｚ）を順次、取得して蓄積していくことにより、リファレンス装置３０のカラーマネジメントプロファイル（リファレンスＣＭプロファイル）を生成する。
【００３８】
（リファレンス装置３０のガンマ特性及びホワイトバランス特性の測定処理）
次に、画質調整装置１０を用いてリファレンス装置３０のガンマ特性及びホワイトバランス特性の測定処理について、図４に基づいて説明する。
【００３９】
この場合も、画質調整装置１０は、ビデオ信号発生器２０にテスト信号を供給する（ステップＳ２−１）。具体的には、画質調整装置１０の制御部１１は、ＲＧＢ方式のテスト信号を、ビデオ信号発生器２０に供給する。ここでは、テスト信号として、各色（Ｒ，Ｇ，Ｂ）の強度をすべて同じ値にして、「０」〜「２５５」の範囲で所定の強度間隔（第２強度間隔）で変更した値の信号を用いる。本実施形態では、第２強度間隔は、第１強度間隔よりも狭い間隔に設定する。
【００４０】
ビデオ信号発生器２０は、制御部１１から供給されたテスト信号に基づいて出力信号（ＹＰｂＰｒ）を出力する。このＹＰｂＰｒ信号は、リファレンス装置３０に供給される（ステップＳ２−２）。そして、リファレンス装置３０は、供給された信号に基づいて画像を表示する。
【００４１】
ディスプレイアナライザ４０は、リファレンス装置３０が表示する画像の三刺激値（Ｘ，Ｙ，Ｚ）を測定する（ステップＳ２−３）。このとき、ディスプレイアナライザ４０は、この測定データを出力する。画質調整装置１０の制御部１１は、テスト信号の供給タイミングに対応して、ディスプレイアナライザ４０から出力された測定データを取得する。
【００４２】
そして、画質調整装置１０の制御部１１は、ビデオ信号発生器２０に供給したテスト信号（Ｒ，Ｇ，Ｂの値）に対して、ディスプレイアナライザ４０から取得した三刺激値（Ｘ，Ｙ，Ｚ）を関連付けて、データ記憶部１２に記録する。
【００４３】
次に、画質調整装置１０は、測定された三刺激値（Ｘ，Ｙ，Ｚ）を正規化する（ステップＳ２−４）。具体的には、制御部１１は、供給された三刺激値（Ｘ，Ｙ，Ｚ）の各値を、これらの合計値（Ｘ＋Ｙ＋Ｚ）で除算した値を求める。従って、制御部１１は、ｘ＝Ｘ／（Ｘ＋Ｙ＋Ｚ）、ｙ＝Ｙ／（Ｘ＋Ｙ＋Ｚ）、ｚ＝Ｚ／（Ｘ＋Ｙ＋Ｚ）を計算して、正規化した値（ｘ、ｙ、ｚ）を算出する。
【００４４】
そして、画質調整装置１０は、リファレンス装置３０のガンマ特性データ及びホワイトバランス特性データを記録する（ステップＳ２−５）。具体的には、制御部１１は、刺激値Ｙに対して正規化値ｙを対応付けたリファレンスガンマ特性データを、データ記憶部１２に記録する。更に、制御部１１は、正規化値ｘに対して正規化値ｙを対応付けたリファレンスホワイトバランス特性データを、データ記憶部１２に記録する。
【００４５】
このように、画質調整装置１０の制御部１１は、変更させたテスト信号（Ｒ，Ｇ，Ｂの各値）に対する三刺激値（Ｘ，Ｙ，Ｚ）を順次、取得して蓄積していくことにより、リファレンス装置３０のリファレンスガンマプロファイル及びリファレンスホワイトバランス
プロファイルを生成する。
【００４６】
（ターゲット装置５０のパネル特性の測定処理）
次に、画質調整装置１０を用いてターゲット装置５０のパネル特性を測定する処理について、図５に基づいて説明する。
【００４７】
画質調整装置１０は、ターゲット装置５０の画質調整エンジン５２にテスト信号を供給する（ステップＳ３−１）。具体的には、画質調整装置１０の制御部１１は、ＲＧＢ方式のテスト信号を画質調整エンジン５２のテスト信号発生器５２３に供給する。ここでは、テスト信号として、Ｒ，Ｇ，Ｂの各色の強度を、それぞれ「０」〜「２５５」の範囲で所定の強度間隔（第１強度間隔）で変更した値を組み合わせて生成した各種パターンを含む信号を用いる。
【００４８】
テスト信号発生器５２３は、制御部１１から供給されたテスト信号に基づく出力信号（ＲＧＢ）をターゲット装置５０内のガンマ調整器５２４に供給する（ステップＳ３−２）。
【００４９】
そして、ガンマ調整器５２４は、テスト信号発生器５２３から供給された信号をガンマ補正し、この信号をターゲット装置５０内のゲイン・バイアス調整器５２５に供給する（ステップＳ３−３）。更に、ゲイン・バイアス調整器５２５は、取得した信号に対してホワイトバランス調整を行なった出力信号を、ＬＣＤパネル５３に供給する。ＬＣＤパネル５３は、ゲイン・バイアス調整器５２５から供給された信号に基づいて画像を表示する。
【００５０】
そして、ディスプレイアナライザ４０は、ターゲット装置５０が表示する画像の三刺激値（Ｘ，Ｙ，Ｚ）を測定する（ステップＳ３−４）。このとき、ディスプレイアナライザ４０は、この測定データを出力する。画質調整装置１０の制御部１１は、テスト信号の供給タイミングに同期させて、ディスプレイアナライザ４０から出力された測定データを取得する。
【００５１】
画質調整装置１０の制御部１１は、ターゲットパネル特性データを記録する（ステップＳ３−５）。具体的には、制御部１１は、テスト信号発生器５２３に供給したテスト信号（Ｒ，Ｇ，Ｂの各値）に対応させて、ディスプレイアナライザ４０から取得した三刺激値（Ｘ，Ｙ，Ｚ）を、データ記憶部１２に記録する。
【００５２】
このように、画質調整装置１０の制御部１１は、変更させたテスト信号に対する三刺激値（Ｘ，Ｙ，Ｚ）を順次、取得して蓄積していくことにより、ターゲット装置５０のカラーマネジメントプロファイル（ターゲットパネルＣＭプロファイル）を生成する。
【００５３】
（ターゲット装置５０のガンマ特性及びホワイトバランス特性の測定処理）
次に、画質調整装置１０を用いてターゲット装置５０のガンマ特性及びホワイトバランス特性を測定する処理について、図６に基づいて説明する。
【００５４】
画質調整装置１０は、ターゲット装置５０内のテスト信号発生器５２３にテスト信号を供給する（ステップＳ４−１）。ここでは、テスト信号として、各色（Ｒ，Ｇ，Ｂ）の強度をすべて同じ値にして、「０」〜「２５５」の範囲で所定の強度間隔（第２強度間隔）で変更した値の信号を用いる。
【００５５】
テスト信号発生器５２３は、制御部１１から供給されたテスト信号に基づく出力信号（ＲＧＢ）をターゲット装置５０内のガンマ調整器５２４に供給する（ステップＳ４−２）。そして、ガンマ調整器５２４は、テスト信号発生器５２３から供給された信号をガンマ
補正し、この信号をターゲット装置５０内のゲイン・バイアス調整器５２５に供給する（ステップＳ４−３）。更に、ゲイン・バイアス調整器５２５は、取得した信号に対してホワイトバランス調整を行なった出力信号を、ターゲット装置５０に供給する。ターゲット装置５０は、ゲイン・バイアス調整器５２５から供給された信号に基づいて画像を表示する。
【００５６】
そして、ディスプレイアナライザ４０は、ターゲット装置５０が表示する画像の三刺激値（Ｘ，Ｙ，Ｚ）を測定する（ステップＳ４−４）。このとき、ディスプレイアナライザ４０は、この測定データを出力する。画質調整装置１０の制御部１１は、テスト信号の供給タイミングに対応して、ディスプレイアナライザ４０から出力された測定データを取得する。
【００５７】
そして、画質調整装置１０の制御部１１は、ビデオ信号発生器２０に供給したテスト信号（Ｒ，Ｇ，Ｂの値）に対して、ディスプレイアナライザ４０から取得した三刺激値（Ｘ，Ｙ，Ｚ）を関連付けて、データ記憶部１２に記録する。
【００５８】
次に、画質調整装置１０は、測定された三刺激値（Ｘ，Ｙ，Ｚ）を正規化する（ステップＳ４−５）。具体的には、制御部１１は、測定された各信号（Ｘ，Ｙ，Ｚ）の値を、これらの合計値（Ｘ＋Ｙ＋Ｚ）で除算した値を求める。
【００５９】
そして、画質調整装置１０は、ターゲット装置５０のガンマ特性データ及びホワイトバランス特性データを記録する（ステップＳ４−６）。具体的には、制御部１１は、刺激値Ｙに対して正規化値ｙを対応付けたターゲットガンマ特性データを、データ記憶部１２に記録する。更に、制御部１１は、正規化値ｘに対して正規化値ｙを対応付けたターゲットホワイトバランス特性データを、データ記憶部１２に記録する。
【００６０】
このように、制御部１１は、変更させたテスト信号（Ｒ，Ｇ，Ｂの各値）に対する三刺激値（Ｘ，Ｙ，Ｚ）を順次、取得して蓄積していくことにより、ターゲット装置５０のターゲットガンマプロファイル及びターゲットホワイトプロファイルを生成する。
【００６１】
（ターゲット装置５０のスケーラ特性の測定処理）
次に、画質調整装置１０を用いてターゲット装置５０のスケーラ特性を測定する処理について、図７に基づいて説明する。
【００６２】
画質調整装置１０は、ビデオ信号発生器２０にテスト信号を供給する（ステップＳ５−１）。具体的には、画質調整装置１０の制御部１１は、ＲＧＢ方式のテスト信号を、ビデオ信号発生器２０に供給する。ここでは、テスト信号として、Ｒ，Ｇ，Ｂの各色の強度を、それぞれ「０」〜「２５５」の範囲で所定の強度間隔（第１強度間隔）で変更した値を組み合わせて生成した各種パターンを含む信号を用いる。
【００６３】
ビデオ信号発生器２０は、制御部１１から供給されたテスト信号に基づいて出力信号（ＹＰｂＰｒ信号）を出力し、ターゲット装置５０に供給する（ステップＳ５−２）。ターゲット装置５０に入力されたＹＰｂＰｒ信号は、スケーラ５１に供給される。このスケーラ５１は、供給された信号に基づいてＹＰｂＰｒ信号をＲＧＢ信号に変換し出力する。この場合、このレベルモニタ５２１は、画質調整エンジン５２にスケーラ５１から出力された信号を取得し、画質調整装置１０に出力する。
【００６４】
そして、画質調整装置１０の制御部１１は、ターゲット装置５０内のレベルモニタ５２１の出力信号（ＲＧＢ信号）を取得する（ステップＳ５−３）。このとき、制御部１１は、テスト信号の供給タイミングに同期させて、レベルモニタ５２１から供給された測定デ
ータを取得する。
【００６５】
そして、画質調整装置１０の制御部１１は、ターゲット装置５０のスケーラのカラーマネジメント特性データを記録する（ステップＳ５−４）。具体的には、制御部１１は、ビデオ信号発生器２０に供給したテスト信号（Ｒ，Ｇ，Ｂの各値）に対応させて、レベルモニタ５２１の出力信号（Ｒ，Ｇ，Ｂ）を、データ記憶部１２に記録する。
【００６６】
このように、画質調整装置１０の制御部１１は、変更させたテスト信号に対する出力信号（Ｒ，Ｇ，Ｂ）を順次、取得して蓄積していくことにより、ターゲット装置５０のスケーラカラーマネジメントプロファイル（ターゲットスケーラＣＭプロファイル）を生成する。
【００６７】
（ガンマ・ホワイトバランス変換データ及びＣＭプロファイルデータの設定処理）
次に、画質調整装置１０を用いてターゲット装置５０のガンマ、ホワイトバランス及びカラーマネジメントの設定処理について、図８に基づいて説明する。
【００６８】
画質調整装置１０は、データ記憶部１２に記録されたデータを用いて、ガンマ・ホワイトバランス変換テーブルの算出を行なう（ステップＳ６−１）。この場合、画質調整装置１０の制御部１１は、ターゲット装置５０のガンマ特性及びホワイトバランス特性を、リファレンス装置３０のガンマ特性及びホワイトバランス特性に近似させるための変換テーブルを算出する。この算出においては、リファレンスガンマ特性、リファレンスホワイトバランス特性、ターゲットガンマ特性及びターゲットホワイトバランス特性に関するデータを用いる。
【００６９】
具体的には、制御部１１は、リファレンスガンマ特性の出力値とほぼ同じ出力値になるときのターゲットガンマ特性の入力値を特定する。この場合、制御部１１は、ターゲットホワイトバランス特性の入力値が、リファレンスホワイトバランス特性から大きく相違しない（所定範囲内に収まる）リファレンスガンマ特性の入力値を特定する。そして、制御部１１は、特定したターゲットガンマ特定の入力値と、そのリファレンスガンマ特性入力値との対応関係を表す変換テーブルを生成する。更に、制御部１１は、生成したガンマ・ホワイトバランス変換テーブルを、ガンマ調整器５２４に保持させる。
【００７０】
次に、画質調整装置１０は、カラーマネジメントプロファイルの設定を行なう（ステップＳ６−２）。この場合、画質調整装置１０の制御部１１は、ターゲット装置５０のカラーマネジメント特性を、リファレンス装置３０のカラーマネジメント特性に近似させるテーブルや式を算出する。この算出においては、保持されたガンマ・ホワイトバランス変換テーブルデータと、リファレンスＣＭ特性データとターゲットパネルＣＭ特性データとターゲットスケーラＣＭ特性データとを用いる。
【００７１】
具体的には、制御部１１は、ターゲットパネルＣＭプロファイルの値と、ガンマ調整器５２４に設定したガンマ・ホワイトバランス変換テーブルの値とを用いて、ガンマ調整器５２４からＬＣＤパネル５３にまでのターゲット暫定ＣＭ特性を算出する。
【００７２】
次に、制御部１１は、リファレンスＣＭ特性の出力値とほぼ同じ出力値になるときのターゲット暫定ＣＭ特性の入力値を特定する。更に、制御部１１は、このときのリファレンスＣＭ特性の入力値とほぼ同じ入力値になるときのスケーラ特性の出力値を特定する。そして、制御部１１は、特定したスケーラ特性の出力値が入力されると、特定したターゲット暫定ＣＭ特性の入力値を出力するＣＭプロファイルデータを生成する。制御部１１は、生成したＣＭプロファイルデータをカラーマネジメント調整器５２２に保持させる。
【００７３】
以上により、カラーマネジメント調整器５２２にカラーマネジメント設定プロファイル、ガンマ調整器５２４に変換テーブルが設定される。これにより、ターゲット装置５０は、リファレンス装置３０と同じ信号が入力された場合には、リファレンス装置３０と同じ画質の画像を表示することができる。
【００７４】
本実施形態によれば、以下のような効果を得ることができる。
・  本実施形態では、画質調整装置１０の制御部１１は、リファレンス装置３０及びターゲット装置５０の各特性データを取得し、データ記憶部１２に記録する。制御部１１は、データ記憶部１２に記録されたデータに基づいて、リファレンス装置３０の特性に近似させるためのガンマ・ホワイトバランス変換テーブルを算出する。更に、制御部１１は、ガンマ・ホワイトバランス変換テーブルデータと、リファレンスＣＭ特性データとターゲットパネルＣＭ特性データとターゲットスケーラＣＭ特性データとを用いて、カラーマネジメント設定プロファイルを算出する。すなわち、制御部１１は、測定されたリファレンス装置３０及びターゲット装置５０の各特性のプロファイルに基づいて、人手によることなく自動で、リファレンス装置３０の画質に近似するようなガンマ・ホワイトバランス変換テーブル及びカラーマネジメント設定プロファイルを算出して設定する。このため、従来に比べて、画一的に、かつ効率的に、ターゲット装置の画質をリファレンス装置の画質に近似させることができる。
【００７５】
・  本実施形態では、スケーラ特性の測定処理は、上述したカラーマネジメント特性やパネル特性の測定処理に用いるテスト信号と同じテスト信号を用いて行なう。更に、ガンマ特性及びホワイトバランス特性の測定処理では、上述したパネル特性の測定処理に用いるテスト信号の第１強度間隔よりも狭い第２強度間隔のテスト信号を用いて行なう。このため、カラーマネジメント特性を測定するために用いる信号は、光の強さ（輝度）に関するガンマ特性のプロファイルデータを測定するために用いる信号よりも、信号の強度間隔を広くしているので、得られる測定データが粗い。人間の目は、飽和度の高い色や色の相違よりも白の輝度変化や白の色度（色温度）の変化に対して敏感という特徴がある。この視覚的な特徴に着目し、ガンマ特性やホワイトバランス特性を詳細に設定する。すなわち、人間の目が敏感な白の輝度変化や色度変化特性を細かい間隔で測定調整し詳細に合わせ、比較的鈍感な色の飽和度や色相変化については、輝度に比較して疎となる間隔で測定調整している。これにより、カラーマネジメント特性を粗く測定しても、ガンマ特性が詳細に測定されていれば、画像のカラーマネジメントは微調整が行なわれているように感じることができる。従って、Ｒ，Ｇ，Ｂの３つのパラメータで調整するカラーマネジメントを粗く調整しても、より細かく調整されているように見えるので、効率的にターゲット装置５０の画像を調整できる。
【００７６】
特に、色再現性特性の信号変化強度を輝度の変化ステップと同じにすると、輝度変化特性のステップをＮとした場合にはＮの３乗ステップになる。例えば輝度変化特性を２５６ステップで測定をした場合には、同じ細かさで色再現性特性を測定しようとすると、その３乗となるため約１６７７万ステップ（２５６の三乗）の細かさで測定することになる。１ステップ当たりの測定時間を０．０１秒とした場合には約１９４日が必要となり、この方法は現実的でない。本願発明では、この色再現性特性の測定間隔を疎にすることで、測定時間を現実的な範囲に収めるとともに、実用上問題のない精度での調整も実現している。上記実施形態では、ＲＧＢの階調変化はそれぞれ１７ステップとすることにより、１ステップ当たりの測定時間を０．０１秒とした場合にも約１.３時間で測定可能である。
【００７７】
また、上記実施形態は以下のように変更してもよい。
○  上記実施形態においては、リファレンス装置３０及びターゲット装置５０の中心の一点の三刺激値に基づいて、スケーラ特性以外の各特性を測定した。これに限らず、中心以外の三刺激値に基づいて特性を測定してもよいし、複数点の三刺激値に基づいて特性を
測定してもよい。
【００７８】
○  上記実施形態においては、画質調整装置１０の制御部１１がテスト信号を供給するビデオ信号発生器２０は、ＢＴＡ  Ｓ−１００Ｂ（いわゆるＨＤ−ＳＤＩ）規格による輝度−色差の方式（ＹＰｂＰｒ）の信号を出力して、リファレンス装置３０及びターゲット装置５０に供給した。ビデオ信号発生器２０から出力される信号はこれに限られず、他のコンポーネント方式の信号であってもよいし、ＲＧＢ信号であってもよい。
【００７９】
○  上記実施形態においては、リファレンス装置３０及びターゲット装置５０として、液晶ディスプレイを用いた。これに限らず、プラズマディスプレイやプロジェクターなど、画質を調整する画像出力装置であれば、液晶ディスプレイ以外に用いてもよい。
【００８０】
○  上記実施形態においては、画質調整装置１０は、リファレンス装置３０の各特性に関するデータを記憶したデータ記憶部１２を用いて、ターゲット装置５０の特性をリファレンス装置３０の特性に近似させるための各プロファイルデータを算出した。この場合、ターゲット装置５０毎に特性を測定して各ターゲット装置５０の各プロファイルデータを設定するだけでなく、同様な特性を有するターゲット装置５０であれば、複数のターゲット装置５０のプロファイルデータを一括して設定してもよい。
【図面の簡単な説明】
【００８１】
【図１】リファレンス装置の特性を測定するための画質調整装置の配置図。
【図２】ターゲット装置の特性を測定するための画質調整装置の配置図。
【図３】リファレンス装置のカラーマネジメント特性を測定する処理手順の流れ図。
【図４】リファレンス装置のガンマ特性及びホワイトバランス特性を測定する処理手順の流れ図。
【図５】ターゲット装置のパネル特性を測定する処理手順の流れ図。
【図６】ターゲット装置のガンマ特性及びホワイトバランス特性を測定する処理手順の流れ図。
【図７】ターゲット装置のスケーラ特性を測定する処理手順の流れ図。
【図８】ガンマ、ホワイトバランス及びカラーマネジメントの各プロファイルデータを設定する処理手順の流れ図。
【符号の説明】
【００８２】
１０…画質調整装置、１１…制御手段としての制御部、１２…リファレンスデータ記憶手段及びターゲットデータ記憶手段としてのデータ記憶部、３０…リファレンス装置、５０…ターゲット装置、５１…ビデオ信号変換回路としてのスケーラ、５２…画質調整エンジン、５３…表示パネルとしてのＬＣＤパネル、５２１…レベルモニタ、５２２…カラーマネジメント調整器、５２３…テスト信号発生器、５２４…ガンマ調整器、５２５…ゲイン・バイアス調整器。
【図１】
2008199118.tif 000003
【図２】
2008199118.tif 000004
【図３】
2008199118.tif 000005
【図４】
2008199118.tif 000006
【図５】
2008199118.tif 000007
【図６】
2008199118.tif 000008
【図７】
2008199118.tif 000009
【図８】
2008199118.tif 000010